(57)【特許請求の範囲】
【請求項１】
公開された公開情報を、ネットワークに接続されたネットワークアダプタを介して受信する受信手段と、
該受信手段が受信した公開情報の利用者に関する非公開の秘密情報を上記ネットワークアダプタを介して送信する送信手段と、
を備えた情報送受信装置であって、
上記秘密情報を記憶するための記憶領域を補助記憶装置に設定するか否かを、管理者端末からの指示に応じて設定する第１設定手段と、
上記秘密情報の送信を許可するか否かを利用者端末からの指示に応じて設定する第２設定手段と、
を備えると共に、
上記送信手段が、上記第２設定手段によって許可された秘密情報を、上記補助記憶装置に設定された当該秘密情報に対応する記憶領域に一旦記憶した上で送信し、上記第１設定手段によって当該秘密情報に対応する記憶領域が上記補助記憶装置に設定されていない場合はその秘密情報を送信せずに破棄することを特徴とする情報送受信装置。
【請求項２】
公開された公開情報を、ネットワークに接続されたネットワークアダプタを介して受信する受信手段と、
該受信手段が受信した公開情報の利用者に関する非公開の秘密情報を上記ネットワークアダプタを介して送信する送信手段と、
を備えた情報送受信装置であって、
上記秘密情報を記憶するための記憶領域を補助記憶装置に設定するか否かを、管理者端末からの指示に応じて設定する第１設定手段と、
複数項目に分類される上記秘密情報の内、どの秘密情報の送信を許可するかを利用者端末からの指示に応じて設定する第２設定手段と、
を備えると共に、
上記送信手段が、上記第２設定手段によって許可された秘密情報のみを、上記補助記憶装置に設定された当該秘密情報に対応する記憶領域に一旦記憶した上で送信し、上記第１設定手段によって当該秘密情報に対応する記憶領域が上記補助記憶装置に設定されていない場合はその秘密情報を送信せずに破棄することを特徴とする情報送受信装置。
【請求項３】
上記受信手段が受信した公開情報に、上記第２設定手段によりどの項目の秘密情報に対して可否を設定すべきかを指示する選択肢情報が添付されている場合、上記第２設定手段が、その選択肢情報に対応する項目の秘密情報に対してのみ送信の可否を設定し、他の項目の秘密情報に対しては送信を不許可とすることを特徴とする請求項２記載の情報送受信装置。
【請求項４】
上記受信手段が受信した公開情報を表示する情報画面と、上記秘密情報の送信を許可するか否かを設定するための設定画面とを、同時にまたは連続して表示する表示手段を、更に備え、
上記第２設定手段が、上記設定画面に対する入力に基づいて、上記設定を行うことを特徴とする請求項１〜３のいずれかに記載の情報送受信装置。
【請求項５】
請求項１〜４のいずれかに記載の情報送受信装置と、
その情報送受信装置と、上記秘密情報を記憶する記憶手段、及び上記公開情報の送信源との間に接続される第２の情報送受信装置と、
を備えた情報送受信システムであって、
上記第２の情報送受信手段が、
上記送信源から送信された公開情報を受信して上記ネットワークを介して上記受信手段に送信する第１転送手段と、
上記送信手段から送信された秘密情報を上記ネットワークを介して受信して上記記憶手段に送信する第２転送手段と、
を備えると共に、
上記第２転送手段が、上記第２設定手段によって許可された秘密情報のみを、上記記憶手段に送信することを特徴とする情報送受信システム。
【請求項６】
請求項３記載の情報送受信装置と、その情報送受信装置に上記ネットワークを介して接続され、上記公開情報を上記ネットワークを介して送信して上記秘密情報を上記ネットワークを介して受信する第３の情報送受信装置と、
を備えた情報送受信システムであって、
上記第３の送受信装置が、
上記公開情報に、上記どの項目の秘密情報に対して可否を設定すべきかを指示する選択肢情報を添付して送信する送信手段を備えたことを特徴とする情報送受信システム。
【請求項７】
情報の送信及び受信が可能な情報送受信装置を制御するためのソフトウェアプログラムを記憶した記憶媒体であって、
公開された公開情報をネットワークを介して受信する受信処理と、
該受信処理によって受信した公開情報の利用者に関する非公開の秘密情報を上記ネットワークを介して送信する送信処理と、
上記秘密情報を記憶するための記憶領域を補助記憶装置に設定するか否かを、管理者端末からの指示に応じて設定する第１設定処理と、
上記秘密情報の送信を許可するか否かを利用者端末からの指示に応じて設定する第２設定処理と、
を実行すると共に、
上記送信処理では、上記第２設定手段によって許可された秘密情報のみを、上記補助記憶装置に設定された当該秘密情報に対応する記憶領域に一旦記憶した上で送信し、上記第１設定処理によって当該秘密情報に対応する記憶領域が上記補助記憶装置に設定されていない場合はその秘密情報を送信せずに破棄するソフトウェアプログラムを記憶したことを特徴とする記憶媒体。
【請求項８】
情報の送信及び受信が可能な情報送受信装置を制御するためのソフトウェアプログラムを記憶した記憶媒体であって、
公開された公開情報をネットワークを介して受信する受信処理と、
該受信処理によって受信した公開情報の利用者に関する非公開の秘密情報を上記ネットワークを介して送信する送信処理と、
上記秘密情報を記憶するための記憶領域を補助記憶装置に設定するか否かを、管理者端末からの指示に応じて設定する第１設定処理と、
複数項目に分類される上記秘密情報の内、どの秘密情報の送信を許可するかを利用者端末からの指示に応じて設定する第２設定処理と、
を実行すると共に、
上記送信処理では、上記第２設定処理によって許可された秘密情報のみを、上記補助記憶装置に設定された当該秘密情報に対応する記憶領域に一旦記憶した上で送信し、上記第１設定処理によって当該秘密情報に対応する記憶領域が上記補助記憶装置に設定されていない場合はその秘密情報を送信せずに破棄するソフトウェアプログラムを記憶したことを特徴とする記憶媒体。
【請求項９】
上記受信処理によって受信した公開情報に、上記第２設定処理によってどの項目の秘密情報に対して可否を設定すべきかを指示する選択肢情報が添付されている場合、上記第２設定処理では、その選択肢情報に対応する項目の秘密情報に対してのみ送信の可否を設定し、他の項目の秘密情報に対しては送信を不許可とすることを特徴とする請求項８記載の記憶媒体。
【発明の詳細な説明】
【０００１】
【発明の属する技術分野】
本発明は、情報を送受信する情報送受信装置に関し、詳しくは、公開された公開情報を利用者に提供すると共にその利用者に関わる非公開の秘密情報を収集するための情報送受信装置、その装置を備えた情報送受信システム、及び、その装置を制御するためのソフトウェアプログラムを記憶した記憶媒体に関する。
【０００２】
【従来の技術】
従来より、例えば各種企業の就職情報等の公開情報は、新聞の折り込みチラシ、各大学に配布される刊行物、等の形態で提供されていた。また、近年、企業の就職情報等をビデオテープに編集し、各大学に配布することも考えられている。このように就職情報等を提供した場合、企業としては、どのような学生がどのような企業に興味を持っているかが気になるところである。
【０００３】
【発明が解決しようとする課題】
しかしながら、このような公開情報の提供方式では、どのような利用者（すなわち、その情報に興味を持っている者）がどのくらいいるのか全く判らない。一方、どのような学生がどのような企業に興味を持っているか調べる方法として、ダイレクトメールによるアンケート調査が知られている。ところが、この種のアンケートは極めて回収率が悪く、その記載内容にも信頼性がない。また、このように公開情報を提供し、その情報の利用者に関わる秘密情報（例えば、性別，年齢等）を収集する要望は、医療，流通，放送等の各種分野で高まっている。
【０００４】
そこで、本発明は、公開された公開情報を利用者に提供すると共に、その公開情報の利用者に関わる非公開の秘密情報を容易に収集することのできる情報送受信装置を提供することを目的としてなされた。
【０００５】
【課題を解決するための手段及び発明の効果】
上記目的を達するためになされた請求項１記載の発明は、公開された公開情報を、ネットワークに接続されたネットワークアダプタを介して受信する受信手段と、該受信手段が受信した公開情報の利用者に関する非公開の秘密情報を上記ネットワークアダプタを介して送信する送信手段と、を備えた情報送受信装置であって、上記秘密情報を記憶するための記憶領域を補助記憶装置に設定するか否かを、管理者端末からの指示に応じて設定する第１設定手段と、上記秘密情報の送信を許可するか否かを利用者端末からの指示に応じて設定する第２設定手段と、を備えると共に、上記送信手段が、上記第２設定手段によって許可された秘密情報を、上記補助記憶装置に設定された当該秘密情報に対応する記憶領域に一旦記憶した上で送信し、上記第１設定手段によって当該秘密情報に対応する記憶領域が上記補助記憶装置に設定されていない場合はその秘密情報を送信せずに破棄することを特徴とする。
【０００６】
このように構成された本発明では、受信手段は、公開された公開情報を受信し、送信手段は、受信手段が受信した公開情報の利用者に関する非公開の秘密情報を送信する。このため、受信手段に向けて公開情報を送信し、送信手段が送信する秘密情報を受信すれば、公開された公開情報を利用者に提供すると共に、その公開情報の利用者に関わる非公開の秘密情報を容易に収集することができる。また、第１設定手段では、上記秘密情報を記憶するための記憶領域を補助記憶装置に設定するか否かを、管理者端末からの指示に応じて設定することができる。更に、第２設定手段では、上記秘密情報の送信を許可するか否かを利用者端末からの指示に応じて設定することができ、送信手段は、第２設定手段によって許可された秘密情報を、上記補助記憶装置に設定された当該秘密情報に対応する記憶領域に一旦記憶した上で送信し、上記第１設定手段によって当該秘密情報に対応する記憶領域が上記補助記憶装置に設定されていない場合はその秘密情報を送信せずに破棄する。このため、利用者にとって不都合な情報が秘密情報として送信手段から送信されるのを、良好に防止することができる。従って、受信手段が受信した公開情報の利用を一層促進して、公開された公開情報を利用者に提供すると共にその利用者に関わる非公開の秘密情報を収集することが、一層円滑に実行できる。
【０００７】
請求項２記載の発明は、公開された公開情報を、ネットワークに接続されたネットワークアダプタを介して受信する受信手段と、該受信手段が受信した公開情報の利用者に関する非公開の秘密情報を上記ネットワークアダプタを介して送信する送信手段と、を備えた情報送受信装置であって、上記秘密情報を記憶するための記憶領域を補助記憶装置に設定するか否かを、管理者端末からの指示に応じて設定する第１設定手段と、複数項目に分類される上記秘密情報の内、どの秘密情報の送信を許可するかを利用者端末からの指示に応じて設定する第２設定手段と、を備えると共に、上記送信手段が、上記第２設定手段によって許可された秘密情報のみを、上記補助記憶装置に設定された当該秘密情報に対応する記憶領域に一旦記憶した上で送信し、上記第１設定手段によって当該秘密情報に対応する記憶領域が上記補助記憶装置に設定されていない場合はその秘密情報を送信せずに破棄することを特徴とする。
【０００８】
すなわち、本発明は、請求項１記載の情報送受信装置において、上記秘密情報が複数項目に分類されるものであり、上記第２設定手段が、その複数項目に分類される上記秘密情報の内、どの秘密情報の送信を許可するかを設定すると共に、上記送信手段が、上記第２設定手段によって許可された秘密情報のみを送信することを特徴としている。このため、第２設定手段では、複数項目に分類される秘密情報の内、どの秘密情報の送信を許可するかを設定することができ、送信手段は、第２設定手段によって許可された秘密情報を送信する。
【０００９】
よって、利用者にとって不都合のない情報を上記複数項目に分類される秘密情報の中から選択し、その選択された項目の秘密情報は全て送信手段から送信することができる。従って、送信手段が送信する秘密情報を受信すれば、上記利用者に関するより多くの非公開の秘密情報を収集することができる。また、秘密情報を複数に分類することによって、利用者にとって不都合な情報が秘密情報として送信されるのを、一層良好に防止することができる。
【００１０】
従って、本発明では、請求項１記載の発明の効果に加えて、公開情報の利用者に関わる秘密情報を一層詳細に収集することができると共に、利用者にとって不都合な秘密情報が送信されるのを一層良好に防止できるといった効果が生じる。
請求項３記載の発明は、請求項２記載の構成に加え、上記受信手段が受信した公開情報に、上記第２設定手段によりどの項目の秘密情報に対して可否を設定すべきかを指示する選択肢情報が添付されている場合、上記第２設定手段が、その選択肢情報に対応する項目の秘密情報に対してのみ送信の可否を設定し、他の項目の秘密情報に対しては送信を不許可とすることを特徴とする。
【００１１】
本発明では、受信手段が受信した公開情報に、第２設定手段によりどの項目の秘密情報に対して可否を設定すべきかを指示する選択肢情報が添付されている場合、第２設定手段が、その選択肢情報に対応する項目の秘密情報に対してのみ送信の可否を設定し、他の項目の秘密情報に対しては送信を不許可とする。このため、上記複数項目の秘密情報の中から収集したい項目のみを指示する選択肢情報を、公開情報に添付して受信手段に向けて送信すれば、第２設定手段による設定処理を簡略化できると共に、収集したい項目の秘密情報が、より的確に収集できる。
【００１２】
従って、本発明では、請求項２記載の発明の効果に加えて、第２設定手段による設定処理に伴う利用者等の負担を軽減すると共に、収集したい項目の秘密情報を一層効率的に収集することができるといった効果が生じる。
請求項４記載の発明は、請求項１〜３のいずれかに記載の構成に加え、上記受信手段が受信した公開情報を表示する情報画面と、上記秘密情報の送信を許可するか否かを設定するための設定画面とを、同時にまたは連続して表示する表示手段を、更に備え、上記第２設定手段が、上記設定画面に対する入力に基づいて、上記設定を行うことを特徴とする。
【００１３】
本発明に備えられた表示手段は、受信手段が受信した公開情報を表示する情報画面と、上記秘密情報の送信を許可するか否かを設定するための設定画面とを、同時にまたは連続して表示する。また、第２設定手段は、上記設定画面に対する入力に基づいて、上記秘密情報の送信許可の設定を行う。このように、本発明では、表示手段に上記情報画面と上記設定画面とを同時にまたは連続して表示している。このため、情報画面を介して公開情報を利用する利用者は、設定画面に対する入力、すなわち秘密情報の送信許可の設定を忘れずに行うことができる。
【００１４】
従って、本発明では、請求項１〜３のいずれかに記載の発明の効果に加えて、利用者にとって不都合な情報が秘密情報として送信されるのを一層良好に防止すると共に、利用者にとって不都合のない秘密情報を一層良好に収集することができるといった効果が生じる。
【００１５】
請求項５記載の発明は、請求項１〜４のいずれかに記載の情報送受信装置と、その情報送受信装置と、上記秘密情報を記憶する記憶手段、及び上記公開情報の送信源との間に接続される第２の情報送受信装置と、を備えた情報送受信システムであって、上記第２の情報送受信手段が、上記送信源から送信された公開情報を受信して上記ネットワークを介して上記受信手段に送信する第１転送手段と、上記送信手段から送信された秘密情報を上記ネットワークを介して受信して上記記憶手段に送信する第２転送手段と、を備えると共に、上記第２転送手段が、上記第２設定手段によって許可された秘密情報のみを、上記記憶手段に送信することを特徴とする。
【００１６】
このように構成された本発明では、第１転送手段は、送信源から送信された公開情報を受信して、請求項１〜４のいずれかに記載の情報送受信装置の受信手段に送信する。また、第２転送手段は、上記情報送受信装置の送信手段から送信された秘密情報を受信して記憶手段に送信する。このため、送信源から送信された公開情報は第２の情報送受信装置を介して上記情報送受信装置に送信され、上記情報送受信装置から送信された秘密情報は第２の情報送受信装置を介して記憶手段に送信され、収集される。よって、公開された公開情報を利用者に提供すると共にその公開情報の利用者に関わる非公開の秘密情報を収集することが、一層円滑に実行できる。
【００１７】
また、第２転送手段は、上記情報送受信装置の第２設定手段によって許可された秘密情報のみを、上記記憶手段に送信する。すなわち、上記情報送受信装置の送信手段は、上記第２設定手段によって許可された秘密情報のみを送信し、これを第２の情報送受信装置の第２転送手段が受信するのであるが、第２転送手段でも同様の秘密情報の篩い分けを行っている。このため、上記情報送受信装置の送信手段が、上記第２設定手段によって許可されていない秘密情報を誤って送信しても、この第２転送手段によって、その秘密情報が記憶手段まで送信されないようにすることができる。
【００１８】
従って、本発明では、請求項１〜４のいずれかに記載の情報送受信装置を用いた上記公開情報の提供及び上記秘密情報の収集を一層円滑に実行すると共に、利用者にとって不都合な秘密情報が収集されてしまうのを一層良好に防止することができる。なお、本発明において、送信源と記憶手段とは一体に構成されてもよく別体に構成されてもよい。
【００１９】
請求項６記載の発明は、請求項３記載の情報送受信装置と、その情報送受信装置に上記ネットワークを介して接続され、上記公開情報を上記ネットワークを介して送信して上記秘密情報を上記ネットワークを介して受信する第３の情報送受信装置と、を備えた情報送受信システムであって、上記第３の送受信装置が、上記公開情報に、上記どの項目の秘密情報に対して可否を設定すべきかを指示する選択肢情報を添付して送信する送信手段を備えたことを特徴とする。
【００２０】
本発明では、第３の送受信装置の送信手段が、上記どの項目の秘密情報に対して可否を設定すべきかを指示する選択肢情報を、上記公開情報に添付して送信する。このため、この公開情報及び選択肢情報が請求項３記載の情報送受信装置に直接送信されると、前述のように、請求項３記載の情報送受信装置の第２設定手段が、その選択肢情報に対応する項目の秘密情報に対してのみ送信の可否を設定し、他の項目の秘密情報に対しては送信を不許可とする。従って、本発明では、請求項３記載の情報送受信装置と共働して、利用者等の負担を軽減すると共に、収集したい項目の秘密情報を一層効率的に収集することができる。
【００２１】
請求項７記載の発明は、情報の送信及び受信が可能な情報送受信装置を制御するためのソフトウェアプログラムを記憶した記憶媒体であって、公開された公開情報をネットワークを介して受信する受信処理と、該受信処理によって受信した公開情報の利用者に関する非公開の秘密情報を上記ネットワークを介して送信する送信処理と、上記秘密情報を記憶するための記憶領域を補助記憶装置に設定するか否かを、管理者端末からの指示に応じて設定する第１設定処理と、上記秘密情報の送信を許可するか否かを利用者端末からの指示に応じて設定する第２設定処理と、を実行すると共に、上記送信処理では、上記第２設定手段によって許可された秘密情報のみを、上記補助記憶装置に設定された当該秘密情報に対応する記憶領域に一旦記憶した上で送信し、上記第１設定処理によって当該秘密情報に対応する記憶領域が上記補助記憶装置に設定されていない場合はその秘密情報を送信せずに破棄するソフトウェアプログラムを記憶したことを特徴とする。
【００２２】
本発明に記憶されたソフトウェアプログラムにより情報送受信装置を制御すれば、公開された公開情報を受信手段によって受信し、送信処理によって、受信処理によって受信した公開情報の利用者に関する非公開の秘密情報を送信することができる。また、第１設定処理では、上記秘密情報を記憶するための記憶領域を補助記憶装置に設定するか否かを、管理者端末からの指示に応じて設定することができる。更に、第２設定処理によって、上記秘密情報の送信を許可するか否かを利用者端末からの指示に応じて設定することができ、送信処理では、第２設定処理によって許可された秘密情報を、上記補助記憶装置に設定された当該秘密情報に対応する記憶領域に一旦記憶した上で送信し、上記第１設定処理によって当該秘密情報に対応する記憶領域が上記補助記憶装置に設定されていない場合はその秘密情報を送信せずに破棄する。このため、本発明に記憶されたソフトウェアプログラムにより情報送受信装置を制御すれば、請求項１記載の発明と同様の効果が生じる。すなわち、利用者にとって不都合な情報が秘密情報として送信されるのを防止して公開情報の利用を促進し、延いては、公開された公開情報を利用者に提供すると共にその利用者に関わる秘密情報を収集することが、極めて円滑に実行可能となる。
【００２３】
請求項８記載の発明は、情報の送信及び受信が可能な情報送受信装置を制御するためのソフトウェアプログラムを記憶した記憶媒体であって、公開された公開情報をネットワークを介して受信する受信処理と、該受信処理によって受信した公開情報の利用者に関する非公開の秘密情報を上記ネットワークを介して送信する送信処理と、上記秘密情報を記憶するための記憶領域を補助記憶装置に設定するか否かを、管理者端末からの指示に応じて設定する第１設定処理と、複数項目に分類される上記秘密情報の内、どの秘密情報の送信を許可するかを利用者端末からの指示に応じて設定する第２設定処理と、を実行すると共に、上記送信処理では、上記第２設定処理によって許可された秘密情報のみを、上記補助記憶装置に設定された当該秘密情報に対応する記憶領域に一旦記憶した上で送信し、上記第１設定処理によって当該秘密情報に対応する記憶領域が上記補助記憶装置に設定されていない場合はその秘密情報を送信せずに破棄するソフトウェアプログラムを記憶したことを特徴とする。
【００２４】
すなわち、本発明は、請求項７記載の記憶媒体において、上記秘密情報が複数項目に分類されるものであり、上記第２設定処理では、その複数項目に分類される上記秘密情報の内、どの秘密情報の送信を許可するかを設定すると共に、上記送信処理では、上記第２設定手段によって許可された秘密情報のみを送信することを特徴としている。このため、本発明に記憶されたソフトウェアプログラムにより情報送受信装置を制御すれば、請求項２記載の発明と同様の効果が生じる。すなわち、請求項７記載の発明に関わる効果に加えて、公開情報の利用者に関わる秘密情報を一層詳細に収集することができると共に、利用者にとって不都合な秘密情報が送信されるのを一層良好に防止できるといった効果が生じる。
【００２５】
請求項９記載の発明は、請求項８記載の構成に加え、上記受信処理によって受信した公開情報に、上記第２設定処理によってどの項目の秘密情報に対して可否を設定すべきかを指示する選択肢情報が添付されている場合、上記第２設定処理では、その選択肢情報に対応する項目の秘密情報に対してのみ送信の可否を設定し、他の項目の秘密情報に対しては送信を不許可とすることを特徴とする。
【００２６】
このため、本発明に記憶されたソフトウェアプログラムにより情報送受信装置を制御すれば、請求項３記載の発明と同様の効果が生じる。すなわち、上記複数項目の秘密情報の中から収集したい項目のみを指示する選択肢情報が、公開情報に添付されている場合、第２設定処理を簡略化できると共に、収集したい項目の秘密情報がより的確に収集できる。従って、請求項７記載の発明に関わる効果に加えて、第２設定処理に伴う利用者等の負担を軽減すると共に、収集したい項目の秘密情報を一層効率的に収集することができるといった効果が生じる。
【００２７】
【００２８】
【００２９】
【発明の実施の形態】
次に、本発明の実施の形態を図面と共に説明する。図１は、本発明が適用された情報送受信システムの構成を表す説明図である。
図１に示すように、本情報送受信システムは、大学１と情報管理会社３とをインターネット等のネットワーク５を介して接続し、情報管理会社３から公開情報としての就職情報を大学１に提供すると共に、その情報の利用者に関わる年齢，学部等の利用者情報（秘密情報に相当）を情報管理会社３が大学１から受信するためのシステムである。なお、ネットワーク５を介したデータの送受信を実質的に実行する情報管理会社３の情報管理端末３ａは、就職情報の提供等を依頼する求人会社７の求人会社端末７ａと、オンライン回線等で接続されている。
【００３０】
大学１側でネットワーク５と接続されるビデオサーバ１０は、ＣＰＵ１１，ＲＯＭ１２，及びＲＡＭ１３を備えることにより情報処理機能を有しており、更に、次に述べる補助記憶装置２０とのデータの送受信を行う補助記憶装置インタフェース１５と、大学１の学内おける通信を司る学内ネットワーク３０を介してデータの送受信を行うネットワークアダプタ１７と、前述のネットワーク５を介してデータの送受信を行うネットワークアダプタ１９とを備えている。
【００３１】
補助記憶装置２０には、大学１における教育に関する種々の教育情報を記憶した教育情報記憶部２１が設けられている他、後述の就職情報Ａデータ記憶部２３，就職情報Ｂデータ記憶部２４，就職情報Ａプログラム記憶部２５，基本プログラム記憶部２６，利用者情報Ａ記憶部２７，利用者情報Ｂ記憶部２８等が必要に応じて設けられる。また、学内ネットワーク３０には、ビデオサーバ１０の他、学生課に設けられた管理者端末３３と、掲示板の付近や教室，図書室等に設けられた利用者端末３５とが接続されている。後述するように、管理者端末３３は大学１の管理者が操作し、学生による就職情報の利用状況や、利用者情報の送信状況を管理するものである。他方、利用者端末３５は利用者としての学生が直接操作し、就職情報等を閲覧したり、自身に関する利用者情報の送信の可否を設定したりするものである。
【００３２】
次に、この情報送受信システムにおける処理を説明する。先ず、図２及び図３は、求人会社７の求人会社端末７ａが情報管理会社３の情報管理端末３ａに対して実行する処理を表すフローチャートであり、その内図２は、求人会社７から情報管理会社３へ就職情報の送信を依頼するための処理を表している。
【００３３】
図２に示すように、求人会社端末７ａがこの処理を開始すると、先ず、Ｓ１（Ｓはステップを表す：以下同様）にて就職情報を用意する。すなわち、自社の会社案内や募集職種、待遇等をデータとして用意するのである。なお、この就職情報は、例えばテキストデータのような文字データでもよく、ＭＰＥＧ等を使って圧縮された動画データであってもよい。
【００３４】
続くＳ３では、情報管理会社３へ就職情報を送信してよいか確認し、確認が完了するまで待機する。後述のように、情報管理会社３の情報管理端末３ａは、就職情報が受信できる場合、求人会社７からの要求があると（Ｓ２１：ＹＥＳ）送信許可を返送する（Ｓ２２）。Ｓ３では、この送信許可があるまで待機するのである。確認が完了すると（Ｓ３：ＹＥＳ）、Ｓ５へ移行し、情報管理会社３へ前述の就職情報を送信する。そして、送信が完了するまでＳ５の処理を繰り返し（Ｓ７：ＮＯ）、送信が完了すると（Ｓ７：ＹＥＳ）、処理を一旦終了する。なお、後述のように、情報管理会社３の情報管理端末３ａは、求人会社７から送信された就職情報を受信して記憶すると（Ｓ２３）受信完了を通知する（Ｓ２４）。この通知を求人会社端末７ａが受信したとき、Ｓ７にて就職情報の送信が完了した（ＹＥＳ）と判断して処理を終了するのである。
【００３５】
図３は、求人会社７が情報管理会社３から利用者情報を受信するための処理を表している。図３に示すように、求人会社端末７ａがこの処理を開始すると、先ず、Ｓ１１にて、情報管理会社３へ利用者情報の送信を要求する。続くＳ１３では、情報管理会社３から確認があるまで待機する。後述のように、情報管理会社３の情報管理端末３ａは、求人会社７から利用者情報の送信を要求されると（Ｓ７１：ＹＥＳ）、大学１から利用者情報を受信した上でその利用者情報（後述のように、大学１から受信したそのものではなく、種々の加工が施される）を送信してよいか求人会社７へ確認する（Ｓ８５）。情報管理会社３からこの確認がなされると（Ｓ１３：ＹＥＳ）、求人会社端末７ａの処理は続くＳ１５へ移行するのである。Ｓ１５では、送信許可を情報管理会社３へ送信すると共に情報管理会社３から利用者情報を受信し、受信が終了すると、Ｓ１７にて受信完了を情報管理会社３へ通知して、一旦処理を終了する。
【００３６】
次に、求人会社端末７ａの図２の処理に応じて、情報管理会社３は就職情報を大学１へ転送し、大学１は利用者端末３５を介してこの就職情報を開示する。また、後述のように、この就職情報の開示に伴い、その利用者に関わる利用者情報が大学１に蓄積されるが、求人会社端末７ａの図３の処理に応じて、情報管理会社３は大学１から利用者情報を受信し、求人会社７へ送信する。以下、情報の流れに沿って各部での処理を説明する。
【００３７】
図４は、就職情報の送受信に関わる情報管理端末３ａの処理を表すフローチャートである。図４に示すように、この処理では、先ずＳ２１にて、求人会社７から就職情報を送信したい旨要求があるまで待機する。そして、要求があると（Ｓ２１：ＹＥＳ）、求人会社７へ送信許可を送信し（Ｓ２２）、この送信許可に応じて送信された（Ｓ５）就職情報を受信して記憶する（Ｓ２３）。受信が完了するとＳ２４にて受信完了を求人会社７へ通知し、続くＳ２５では、変更用プログラムがあるか否かを判断する。
【００３８】
ここで、変更用プログラムとは次のようなものである。本システムでは、利用者情報として要求する項目として、基本パターン（例えば学部及び年齢）が設定されている。その基本パターン以外の項目（例えば氏名，ＩＤ等）に対して利用者情報を要求する場合は、選択肢情報としての変更用プログラムを添付する必要がある。なお、この変更用プログラムは、求人会社７と情報管理会社３との契約時に作成され、情報管理会社３に保管されるが、前述の就職情報と同時に求人会社７から情報管理会社３へ送信されてもよい。Ｓ２５では、このような変更用プログラムがあるか否かを判断する。そして、ある場合は（Ｓ２５：ＹＥＳ）、Ｓ２３で受信した就職情報に変更用プログラムを追加して新たな就職情報とした後に（Ｓ２６）、ない場合はそのまま（Ｓ２５：ＮＯ）、Ｓ２７へ移行する。
【００３９】
Ｓ２７では、就職情報を送信してよいか大学１に（詳しくはそのビデオサーバ１０に）確認し、確認が完了すると（Ｓ２７：ＹＥＳ）、大学１へ就職情報を送信する（Ｓ２８）。そして、送信が完了するまでＳ２８の処理を繰り返し（Ｓ２９：ＮＯ）、送信が完了すると（Ｓ２９：ＹＥＳ）一旦処理を終了する。
【００４０】
次に、図５，図６は、ビデオサーバ１０の情報管理会社３に対する処理を表すフローチャートである。ビデオサーバ１０がネットワーク５を介して情報管理会社３からデータを受信する場合は、利用者情報を情報管理会社３へ送信するように要求される場合と、情報管理会社３から前述の就職情報を受信するように要求される場合と、後述する利用者情報Ｅを受信するように要求される場合とがある。そこで、ビデオサーバ１０では、処理を開始すると、情報管理会社３が利用者情報の送信を要求したか（Ｓ３１）、情報管理会社３が就職情報の受信を要求したか（Ｓ３２）、或いは、情報管理会社３が利用者情報Ｅの受信を要求したか（Ｓ３３）、を順次判断する。そして、いずれかで肯定判断がなされるまで、Ｓ３１〜Ｓ３３の判断処理を繰り返し実行する。
【００４１】
情報管理会社３が就職情報の受信を要求した場合は（Ｓ３２：ＹＥＳ）、Ｓ３５へ移行して、情報管理会社３へ就職情報の送信許可を送信する（Ｓ２７の確認と連動）。これに応じて情報管理会社３が就職情報を送信してくると（Ｓ２８）、Ｓ３６にてそれを受信し、前述の変更用プログラムと就職情報自身のデータとを分離して記憶した後（Ｓ３７）、Ｓ３８にて情報管理会社３へ受信完了を通知する（Ｓ２９と連動）。その後、再びＳ３１〜Ｓ３３のループ処理へ移行し、情報管理会社３からなんらかのデータを受信するまで待機する。
【００４２】
ここで、大学１は、通常、複数の求人会社７から情報管理会社３を介して就職情報を受信する。そこで、以下、大学１が求人会社Ａと求人会社Ｂとの２社（区別の必要がないときは求人会社７と総称する）から就職情報Ａ，就職情報Ｂを、それぞれ受信した場合を例にとって説明する。また、求人会社Ａは、学部，年齢の他、学生の氏名やＩＤ番号に対しても利用者情報を要求すべく変更用プログラムを添付し、求人会社Ｂは、学部と年齢とに対して利用者情報が得られればよいので、上記基本パターンに対応する基本プログラムを使用するものとする。
【００４３】
この場合、Ｓ３６にて求人会社Ａからの就職情報Ａを受信すると、Ｓ３７では、その就職情報Ａを上記変更用プログラムに相当する就職情報Ａプログラムと、就職情報Ａ自身のデータに相当する就職情報Ａデータとに分離する。そして、このＳ３７において、補助記憶装置２０内に就職情報Ａプログラム記憶部２５と就職情報Ａデータ記憶部２３とを設定し、各記憶部２５，２３に上記就職情報Ａプログラム，上記就職情報Ａデータをそれぞれ記憶する。また、このとき、図示しない他のルーチンにより、就職情報Ａに対応する利用者情報Ａを記憶するための利用者情報Ａ記憶部２７も補助記憶装置２０内に形成される。
【００４４】
その後、再びＳ３２で肯定判断してＳ３５以下の処理へ移行し、Ｓ３６にて求人会社Ｂからの就職情報Ｂを受信すると、次のような処理を実行する。この就職情報Ｂには、上記変更用プログラムが添付されていない（Ｓ２５：ＮＯ）。すなわち、受信した就職情報Ｂはそれ全体が就職情報Ｂデータである。そこで、Ｓ３７では、補助記憶装置２０に予め設定されている基本プログラム記憶部２６と対応付けて就職情報Ｂデータ記憶部２４を設定し、そこに就職情報Ｂを記憶する。また、このとき上記他のルーチンにより、就職情報Ｂに対応する利用者情報Ｂを記憶するための利用者情報Ｂ記憶部２８も補助記憶装置２０内に形成される。なお、基本プログラム記憶部２６は情報管理会社３との契約時に補助記憶装置２０内に形成され、上記基本プログラムを記憶しているが、この基本プログラムも就職情報Ｂと同時に情報管理会社３から送信されるようにしてもよい。
【００４５】
このようにして補助記憶装置２０に記憶された求人会社７の就職情報は、学生が利用者端末３５を操作することによって、次のように利用される。図７，図８は、ビデオサーバ１０の利用者端末３５に対する処理を表すフローチャートである。図７に示すように、この処理では、先ず、Ｓ４１にて、利用者端末３５に学生によるＩＤ入力等の所定の操作がなされ、情報の利用が要求されるまで待機する。情報の利用が要求されると（Ｓ４１：ＹＥＳ）、Ｓ４３へ移行し、図９に例示する初期画面８１の映像データをその利用者端末３５へ送信する。図９に例示するように、初期画面８１では、就職情報の利用を指示する就職情報ボタン８１ａと、教育情報の利用を指示する教育情報ボタン８１ｂとが表示される。
【００４６】
なお、この初期画面８１は、大学生協のバーゲン情報等も選択可能に構成してもよいことはいうまでもない。また、この初期画面８１を始め後述の各種画面のデータは、ビデオサーバ１０から全データを送信するのではなく、利用者端末３５がある程度のデータを予め記憶していてもよい。利用者端末３５が初期画面８１を構成する全てのデータを記憶している場合、ビデオサーバ１０は、Ｓ４３にて、その初期画面８１の表示を指示するだけでよい。
【００４７】
続くＳ４５では、就職情報ボタン８１ａがクリックされ、就職情報の利用が選択されたか否かを判断する。他の情報（図９の例では教育情報）の利用が選択された場合は（Ｓ４５：ＮＯ）、Ｓ４７へ移行し、利用者端末３５が要求した情報の映像をその利用者端末３５へ送信する。続くＳ４９では、利用者端末３５にて表示されるその情報の映像が終了するまで待機し、映像が終了すると（Ｓ４９：ＹＥＳ）、一旦処理を終了する。
【００４８】
一方、就職情報ボタン８１ａがクリックされて就職情報の利用が選択された場合（Ｓ４５：ＹＥＳ）、Ｓ５１へ移行し、図１０に例示する就職情報選択画面８３の映像をその利用者端末３５へ送信する。前述のように、就職情報Ａデータと就職情報Ｂデータとが補助記憶装置２０に記憶されている場合、就職情報選択画面８３には、就職情報Ａを選択するための就職情報Ａボタン８３ａと、就職情報Ｂを選択するための就職情報Ｂボタン８３ｂとが表示される。なお、就職情報選択画面８３には、補助記憶装置２０に記憶されている全ての就職情報を表示する必要はない。例えば、管理者端末３３からの指示により、学生に開示したくない求人会社７の就職情報には対応するボタンを表示しないようにしてもよい。
【００４９】
続くＳ５２では、所望のボタン（上記例では就職情報Ａボタン８３ａまたは就職情報Ｂボタン８３ｂ）がクリックされて就職情報が選択されるまで待機し、就職情報が選択されると（Ｓ５２：ＹＥＳ）、Ｓ５３にてプログラムの変更の要否を判断する。Ｓ５２にて選択された就職情報が、求人会社Ｂの就職情報のようにプログラムの変更を必要としない場合は（Ｓ５３：ＮＯ）、基本プログラム記憶部２６から基本プログラムを読み込むと共に（Ｓ５４）、その求人会社７の就職情報のデータを（前述の例では求人会社Ｂの就職情報Ｂデータを就職情報Ｂデータ記憶部２４から）読み込む（Ｓ５５）。また、Ｓ５２にて選択された就職情報が、求人会社Ａの就職情報のようにプログラムの変更を必要とする場合は（Ｓ５３：ＹＥＳ）、その就職情報に対応する変更用プログラムを（前述の例では就職情報Ａプログラムを就職情報Ａプログラム記憶部２５から）読み込むと共に（Ｓ５７）、その求人会社７の就職情報のデータを（前述の例では求人会社Ａの就職情報Ｂデータを就職情報Ａデータ記憶部２３から）読み込む（Ｓ５８）。
【００５０】
Ｓ５５またはＳ５８の処理が終了すると、ビデオサーバ１０は、Ｓ５９にて、図１１に例示する情報承認画面８５の映像を利用者端末３５へ送信する。求人会社Ａでは、就職情報Ａプログラムを用いて、学部及び年齢の他に、氏名及びＩＤを利用者情報として要求している。この場合、Ｓ５７で読み込んだ就職情報Ａプログラムに基づき、Ｓ５９では、図１１（Ａ）に例示する情報承認画面８５を表示する。図１１（Ａ）に例示するように、この情報承認画面８５には、利用者情報として氏名の入力を承認するか否かを指示する氏名入力部８５ａ、利用者情報として年齢の入力を承認するか否かを指示する年齢入力部８５ｂ、利用者情報として学部の入力を承認するか否かを指示する学部入力部８５ｃ、及び、利用者情報としてＩＤの入力を承認するか否かを指示するＩＤ入力部８５ｄが表示される。そして、更に情報承認画面８５の下端には、各入力部８５ａ〜８５ｄに対する指示が完了したか否かを指示するための完了入力部８５ｅが表示される。
【００５１】
一方、求人会社Ｂでは、基本プログラムに応じて学部及び年齢のみを要求している。この場合、Ｓ５４で読み込んだ基本プログラムに基づき、Ｓ５９では、図１１（Ｂ）に例示する情報承認画面８５を表示する。すなわち、利用者情報として学部の入力を承認するか否かを指示する学部入力部８５ｃ、利用者情報として年齢の入力を承認するか否かを指示する年齢入力部８５ｂ、及び、指示が完了したか否かを指示するための完了入力部８５ｅのみが表示される。
【００５２】
氏名入力部８５ａ〜ＩＤ入力部８５ｄには、承認または拒否を指示するための表示がなされており、この表示をクリックすると、図１２に例示するようにその表示上に丸印が表示される。例えば、図１２（Ａ）の例では、氏名と年齢とＩＤとを就職情報Ａに対する利用者情報（利用者情報Ａ）として入力することを承認し、学部を利用者情報Ａとして入力するのを拒否している。また、図１２（Ｂ）の例では、学部を就職情報Ｂに対する利用者情報（利用者情報Ｂ）として入力することを承認し、年齢を利用者情報Ｂとして入力するのを拒否している。利用者は、このように各項目に対して承認または拒否を指示した後、完了入力部８５ｅの「ＹＥＳ」の表示をクリックする。
【００５３】
そこで、ビデオサーバ１０では、Ｓ５９にて情報承認画面８５を表示した後、Ｓ６１へ移行し、「完了」が入力されるまで、すなわち完了入力部８５ｅの「ＹＥＳ」の表示がクリックされるまで待機する。「完了」が入力されると（Ｓ６１：ＹＥＳ）、Ｓ６３へ移行し、利用者端末３５の利用者に関する上記承認された利用者情報を補助記憶装置２０に記憶する。この処理では、Ｓ４１で入力された利用者のＩＤに基づいて、その利用者に関する情報を学内ネットワーク３０に接続された他の記憶装置（図示せず）から読み込み、補助記憶装置２０内の対応する記憶領域（上記例では利用者情報Ａ記憶部２７または利用者情報Ｂ記憶部２８）に記憶する。
【００５４】
続くＳ６５では、Ｓ６３にて記憶しようとした利用者情報と管理者端末３３による設定とを比較し、設定にない利用者情報を破棄する。管理者端末３３では、図１３に例示する管理者用情報承認画面８７を呼び出して、利用者情報として入力を承認する事項を指定することができる。この管理者用情報承認画面８７は、完了入力部８５ａがない点を除いて前述の情報承認画面８５と同様のものである。すなわち、図１３（Ａ）に例示する利用者情報Ａに対応した管理者用情報承認画面８７は、氏名入力部８７ａ，年齢入力部８７ｂ，学部入力部８７ｃ，及びＩＤ入力部８７ｄを有しており、図１３（Ｂ）に例示する利用者情報Ｂに対した管理者用情報承認画面８７は、学部入力部８７ｃ及び年齢入力部８７ｂを有している。
この管理者用情報承認画面８７を操作すると、「承認」の表示の上に丸印が表示された項目に対してしか、補助記憶装置２０に記憶領域が設定されない。例えば、図１３（Ａ）に例示する管理者用情報承認画面８７では、利用者情報Ａに対して氏名及び年齢の入力のみを承認している。このため、図１４（Ａ）に例示するように、利用者情報Ａ記憶部２７には、氏名を記憶するための記憶領域２７ａと、年齢を記憶するための記憶領域２７ｂとだけが設定され、学部等を記憶するための記憶領域は設定されない。従って、図１２（Ａ）に例示するように利用者がＩＤの入力を承認したとしても、そのＩＤのデータはＳ６３にて補助記憶装置２０に記憶することができない。また、図１３（Ｂ）に例示する管理者用情報承認画面８７では学部の入力を承認し、年齢の入力を拒否しているので、利用者情報Ｂ記憶部２８には学部を記憶するための記憶領域２８ａのみが設定される。このため、情報承認画面８５の如何に関わらず、Ｓ６３では年齢を記憶することができない。Ｓ６５では、このようなデータを破棄するのである。
【００５５】
続くＳ６６では、利用者端末３５が要求した就職情報の映像（上記例では就職情報Ａデータ記憶部２３または就職情報Ｂデータ記憶部２４から読み出したデータの映像）をその利用者端末３５へ送信する。続くＳ６７ではその情報の映像が終了するまで待機し、映像が終了すると（Ｓ６７：ＹＥＳ）、Ｓ６８へ移行する。Ｓ６８では、利用者端末３５による上記映像の再生中に発生した利用者情報を、既に補助記憶装置２０に記憶してある上記利用者情報に追加して記憶し、一旦処理を終了する。なお、図１１〜図１３の例では、利用者情報を複数項目に分類しているが、利用者情報は１項目であってもよい。
【００５６】
次に、このようにして補助記憶装置２０に記憶された利用者情報の流れを説明する。図１５は、利用者情報の送受信に関わる情報管理端末３ａの処理を表すフローチャートである。求人会社７から情報管理会社３へ利用者情報の送信を要求する場合は、前述のＳ１１（図３）にて要求が送信される。そこで、この処理では、先ずＳ７１にて、求人会社７から利用者情報を受信したい旨要求があるまで待機する。そして、要求があると、求人会社７へ送信する利用者情報（以下、利用者情報Ｃという）を構成する各種利用者情報を選択する（Ｓ７２）。
【００５７】
情報管理会社３が受信した利用者情報は、様々な加工を施した後に求人会社７へ送信される場合が多い。例えば、前述の求人会社Ａは単純に利用者情報Ａのみを要求するばかりでなく、利用者情報Ｂと組み合わせたなんらかのデータを利用者情報Ｃとして要求する場合もある。そこで、Ｓ７２では、求人会社７が要求する利用者情報Ｃを構成する各種利用者情報を選択するのである。
【００５８】
続くＳ７３では、Ｓ７２で選択した利用者情報の送信を、情報管理会社３と契約を結んでいる全ての大学１に要求する。各大学１は、この要求に応じて対応する利用者情報を送信してくるので（後述のＳ９２）、続くＳ７４ではこの利用者情報を個々に受信する。受信し終わると、各大学１に受信完了を通知し（Ｓ７５）、受信した利用情報に前述のようなデータベース加工を施し、利用者情報Ｃを作成する（Ｓ７６）。また、このＳ７６の処理では、受信した利用者情報の中に管理者端末３３または利用者端末３５にて拒否された利用者情報が含まれていないか確認し、拒否された利用者情報が誤って送信された場合にはその利用者情報を破棄する。続くＳ７７では、Ｓ７６で作成した利用者情報Ｃから各大学１毎の利用者情報を抽出し、これを利用者情報Ｅとする。
【００５９】
Ｓ７７に続くＳ８１では、各大学１に利用者情報Ｅを送信してよいか確認し、確認が完了するまで待機する。全ての大学１から送信許可（後述のＳ９５）を受けて確認が完了すると（Ｓ７７：ＹＥＳ）、各大学１に、個々に対応する利用者情報Ｅを送信する（Ｓ８２）。そして、全ての大学１へ送信が完了するまでＳ８２の処理を繰り返し（Ｓ８３：ＮＯ）、送信が完了すると（Ｓ８３：ＹＥＳ）、Ｓ８４へ移行する。Ｓ８４では、利用者情報Ｅを求人会社７へ送信することを全ての大学１が承認したか否かを判断し、承認されない場合は（Ｓ８４：ＮＯ）、Ｓ７６における利用者情報Ｃの作成から処理を繰り返す。
【００６０】
このように、Ｓ８１〜Ｓ８４では、Ｓ７６にて抽出した各利用者情報Ｅを対応する各大学１に送信し、利用者情報Ｅの集合体としての利用者情報Ｃを求人会社７へ送信してもよいか承認を受けるのであるが、各大学１毎の利用者情報Ｅに分割して承認を受けることにより、大学１同士の間での秘密は確保される。
【００６１】
全ての大学１から承認が得られると（Ｓ８４：ＹＥＳ）、続くＳ８５にて、求人会社７へ利用者情報Ｃを送信してよいか確認し、確認が完了するまで待機する。確認が完了すると（Ｓ８５：ＹＥＳ）、Ｓ８６にて求人会社７へ利用者情報Ｃを送信する。そして、送信が完了するまでＳ８６の処理を繰り返し（Ｓ８７：ＮＯ）、完了すると一旦処理を終了する（Ｓ８７：ＹＥＳ）。
【００６２】
この処理の間、大学１のビデオサーバ１０は次のような処理を実行する。すなわち、前述のように、ビデオサーバ１０は図５のＳ３１〜Ｓ３３の処理を繰り返している。Ｓ７４の処理によって情報管理会社３が利用者情報の送信を要求すると（Ｓ３１：ＹＥＳ）、補助記憶装置２０に記憶された利用者情報の中から指定された利用者情を読み込み（Ｓ９１）、読み込んだ利用者情報を情報管理会社３へ送信し（Ｓ９２）、続いて、情報管理会社３へ送信完了を通知する（Ｓ９３）。なお、この送信完了の通知（Ｓ９３）に応じて、情報管理会社３の情報管理端末３ａは大学１へ受信完了を通知するが（Ｓ７５）、この通知を受け取ると処理はＳ３１〜Ｓ３３のループ処理へ移行する。
【００６３】
また、Ｓ８１の処理によって情報管理会社３が利用者情報Ｅの受信を要求すると（Ｓ３３：ＹＥＳ）、Ｓ９５にて情報管理会社３へ送信許可を送信し、続く９６にて情報管理会社３から利用者情報Ｅを受信して、受信完了を情報管理会社３へ通知する。この通知に応じて前述のＳ８３における肯定判断がなされる。
【００６４】
ビデオサーバ１０がこのように利用者情報Ｅを受信すると、Ｓ９７にて利用者情報Ｅを自身が送信した利用者情報（前述の例では利用者情報Ａ及び利用者情報Ｂ）と比較し、相違がないことを確認する。続くＳ９８では、情報管理会社３へ、利用者情報Ｅの求人会社７への送信を承認することを通知して、前述のＳ３１〜Ｓ３３のループ処理へ移行する。なお、この通知に応じて前述のＳ８４における肯定判断がなされる。
【００６５】
以上説明したように、本情報送受信システムを使用すれば、求人会社７から大学１へ就職情報を提供すると共に、その就職情報に関わる利用者情報を求人会社７が大学１から収集することが、極めて円滑に実行できる。しかも、利用者情報は「氏名」，「年齢」等、複数の項目に分類されており、利用者（学生）は、各項目に対してそれぞれ利用者情報の入力の承認または拒否を設定することができる。このため、求人会社７としては利用者情報を詳細に収集することができ、利用者としては自分にとって不都合な利用者情報が送信されてしまうのを良好に防止することができる。更に、送信を承認された利用者情報の篩い分けは、ビデオサーバ１０のＳ６３の処理のみならず、情報管理端末３ａのＳ７６の処理でも行われる。このため、上記不都合な利用者情報が送信されてしまうのを、極めて良好に防止することができる。従って、就職情報の利用を一層促進して、上記就職情報の提供と利用者情報の収集とを一層円滑に実行することができる。
【００６６】
また、求人会社７または情報管理会社３が選択肢情報としての変更用プログラムを就職情報に添付した場合は、求人会社７は収集したい項目の利用者情報を的確に収集することができ、利用者も求人会社７が必要としない項目について承認／拒否等の入力を行う必要がない。従って、この場合、利用者等の負担を軽減すると共に、収集したい項目の利用者情報を一層効率的に収集することができる。なお、上記実施の形態では、就職情報Ａプログラムを添付したことによって利用者情報Ａの項目が増えているが、変更用プログラムとしては、例えば学部のみまたは性別のみの入力を要求する場合等、項目が減少する場合も想定される。
【００６７】
更に、利用者端末３５では、情報承認画面８５による設定の後に、情報画面としての就職情報の映像が表示されるので、利用者は、設定画面としての情報承認画面８５に対する入力、すなわち利用者情報の送信許可の設定を忘れずに行うことができる。このため、利用者にとって不都合な利用者情報が送信されるのを一層良好に防止すると共に、利用者にとって不都合のない利用者情報を一層良好に収集することができる。なお、情報承認画面８５は、就職情報の映像終了後（Ｓ６７：ＹＥＳ）に表示してもよく、就職情報と同時に（例えば、いわゆるマルチビジョン方式によって画面を分割して）表示してもよい。
【００６８】
ここで、上記実施の形態において、ビデオサーバ１０が請求項１〜４記載の情報送受信装置に相当し、情報管理端末３ａが第２情報送受信装置及び第３情報送受信装置に相当する。また、情報管理端末３ａは周知のコンピュータであり、図１６に例示するように、各種演算処理を実行するＣＰＵ９１と、ソフトウェアプログラム等を記憶したＲＯＭ９２と、各種データを一時的に記憶するＲＡＭ９３と、ネットワーク５や求人会社端末７ａと通信を行うインタフェース９４と、ＣＰＵ９１，ＲＯＭ９２，ＲＡＭ９３，及びインタフェース９４を互いに接続するバス９５とを備えている。従って、ＲＯＭ１２は請求項７〜９の記憶媒体に相当し、ＲＯＭ９２は請求項１０記載の記憶媒体に相当する。
【００６９】
なお、上記請求項記載の記憶媒体としてはこの他種々の形態が考えられる。例えば、ハードディスク，ＣＤ−ＲＯＭ，フロッピディスク等でもよく、カードスロットへ挿入可能なプログラムカートリッジ等でもよく、インターネット上のファイルサーバであってもよい。
【００７０】
また、前述の各処理において、Ｓ３６，Ｓ９２，Ｓ５３〜Ｓ６３の処理が請求項７〜９における受信処理，送信処理，第２設定処理に、管理者用情報承認画面８７の操作に応じた上記記憶領域の設定処理が第１設定処理に、それぞれ相当し、その処理を記憶したＲＯＭ１２の記憶領域及びその処理を実行するＣＰＵ１１が請求項１〜４における受信手段，送信手段，第２設定手段，第１設定手段に、それぞれ相当する。更に、Ｓ５９及びＳ６６の処理を記憶したＲＯＭ１２の記憶領域及びその処理を実行するＣＰＵ１１が請求項４における表示手段に、Ｓ２３，Ｓ２８の処理を記憶したＲＯＭ９２の記憶領域及びその処理を実行するＣＰＵ９１が請求項５の第１転送手段に、Ｓ７４，Ｓ８６の処理を記憶したＲＯＭ９２の記憶領域及びその処理を実行するＣＰＵ９１が請求項５記載の第２転送手段に、Ｓ２６〜Ｓ２８の処理が請求項１０記載の送信処理に、その処理を記憶したＲＯＭ９２の記憶領域及びその処理を実行するＣＰＵ９１が請求項６記載の送信手段に、それぞれ相当する。
【００７１】
更に、本発明は上記実施の形態に何等限定されるものではなく、本発明の要旨を逸脱しない範囲で種々の形態で実施することができる。例えば、上記実施の形態では、情報承認画面８５または管理者用情報承認画面８７において、全ての項目の入力を拒否しても就職情報が見られるようになっているが、所定数（１でもよい）以上の項目を承認しなければ就職情報が見られないようにしてもよい。
【００７２】
また、上記実施の形態では、利用者のＩＤに基づいて他の記憶装置から氏名等の利用者情報を読み込んでいるが、これらの利用者情報は利用者自身が入力するようにしてもよい。この場合、利用者が偽った利用者情報を入力する可能性もあるが、利用者情報としては、現住所や既婚／未婚等の情報が要求される場合もある。この場合、大学１の側でこれらの情報を入手するのに時間がかかる可能性もあり、利用者自身に入力させた方が正確な情報が得られる場合もある。また、利用者情報としては、この他、成績、血液型等、種々の情報が適用できる。
【００７３】
更に、就職情報は、ビデオテープ等の形態で、求人会社７から情報管理会社３へ、求人会社７から大学１へ、または情報管理会社３から大学１へ、郵送してもよい。但し、大学１へ就職情報のビデオテープを郵送すると、大学１でそのビデオテープが自由に使用できるようになり、利用者情報が送信されない可能性がある。そこで、大学１へビデオテープを郵送する場合は、そのビデオテープにモザイク等を施して、特殊な処理を施さなければ見られないようにするとよい。この場合、求人会社７または情報管理会社３では、前述の就職情報と同様の経路でモザイク消去用のプログラムを送信し、それと引き替えに利用者情報を受信することができる。この場合、利用者端末３５ではビデオテープの再生画像を直接見ることができるので、一層鮮明な画像を安価な設備によって見ることができる。
【００７４】
また更に、上記情報送受信システムは必ずしも情報管理会社３を経由する必要はなく、図１７に示すように、求人会社１０７と大学１とをネットワーク５を介して直接接続して構成してもよい。この場合、求人会社１０７の求人会社端末１０７ａに、前述の求人会社端末７ａと情報管理端末３ａとの機能を付与しておけばよい。こうすることによって、前述の処理とほぼ同様の処理によって就職情報を大学１に送信し、利用者情報を大学１から受信することができる。
【００７５】
更に、上記実施の形態では、就職情報を送信する送信源としての求人会社端末７ａと利用者情報を記憶する記憶手段としての求人会社端末７ａ（正確にはＲＡＭ９３）とが一体に構成されているが、両者は別体に構成されてもよい。例えば、会社案内等の就職情報は、広告代理店やＣＭ会社から情報管理会社３及びネットワーク５を介して大学１へ送信し、利用者情報は前述のように求人会社７へ送信する場合がある。この場合、上記広告代理店等の端末が送信源に、求人会社端末７ａ（正確にはＲＡＭ９３）が記憶手段に、それぞれ相当する。
【００７６】
また、本発明は就職情報に関する情報送受信システムに限らず、医療，流通，放送等の各種分野における情報送受信システムに適用することができる。例えば、インターネット等を利用した診断システムが実用化された場合、公開情報としての医療情報と引き替えに、患者の住所、出身地、嗜好品等の情報を秘密情報として受信してもよい。この場合、各種疾病の地域性や、発ガン性等のある食品の特定等に大きな効果が発揮される。また、インターネット等を利用したショッピングが一般化した場合、商品に関わる公開情報と引き替えに、利用者の住所等の秘密情報を受信してもよい。この場合、団地毎に居住者の消費性向を分析することにより、効果的な共同購入等を検討することができる。
【図面の簡単な説明】
【図１】  本発明を適用した情報送受信システムの構成を表す説明図である。
【図２】  求人会社端末が就職情報の送信を依頼する処理を表すフローチャートである。
【図３】  求人会社端末が利用者情報を受信する処理を表すフローチャートである。
【図４】  就職情報の送受信に関わる情報管理端末の処理を表すフローチャートである。
【図５】  ビデオサーバの情報管理会社に対する処理を表すフローチャートである。
【図６】  その処理の続きを表すフローチャートである。
【図７】  ビデオサーバの利用者端末に対する処理を表すフローチャートである。
【図８】  その処理の続きを表すフローチャートである。
【図９】  その処理における利用者端末の初期画面を例示する説明図である。
【図１０】  その処理における利用者端末の就職情報選択画面を例示する説明図である。
【図１１】  その処理における利用者端末の情報承認画面を例示する説明図である。
【図１２】  その情報承認画面を用いた設定状態を例示する説明図である。
【図１３】  上記処理における管理者端末の管理者用情報承認画面を例示する説明図である。
【図１４】  その管理者用情報承認画面の設定に応じた記憶領域の設定を例示する説明図である。
【図１５】  利用者情報の送受信に関わる情報管理端末の処理を表すフローチャートである。
【図１６】  情報管理端末の制御系の構成を表す説明図である。
【図１７】  本発明を適用した他の情報送受信システムの構成を表す説明図である。
【符号の説明】
１…大学    ３…情報管理会社    ３ａ…情報管理端末    ５…ネットワーク
７，１０７…求人会社   ７ａ，１０７ａ…求人会社端末   １０…ビデオサーバ
１１，９１…ＣＰＵ        １２，９２…ＲＯＭ        ２０…補助記憶装置
３０…学内ネットワーク      ３３…管理者端末      ３５…利用者端末
８１…初期画面        ８３…就職情報選択画面      ８５…情報承認画面
８７…管理者用情報承認画面
【図１】
0004092788.tif 000002
【図２】
0004092788.tif 000003
【図３】
0004092788.tif 000004
【図４】
0004092788.tif 000005
【図５】
0004092788.tif 000006
【図６】
0004092788.tif 000007
【図７】
0004092788.tif 000008
【図８】
0004092788.tif 000009
【図９】
0004092788.tif 000010
【図１０】
0004092788.tif 000011
【図１１】
0004092788.tif 000012
【図１２】
0004092788.tif 000013
【図１３】
0004092788.tif 000014
【図１４】
0004092788.tif 000015
【図１５】
0004092788.tif 000016
【図１６】
0004092788.tif 000017
【図１７】
0004092788.tif 000018